(57)【要約】【課題】例えば携帯電話の充電や給電に十分な電圧を得られる受光面積の光発電パネルを有し、小型で持ち運びに便利な携帯用の光発電器を提供すること。【解決手段】光発電器１は、シート部２，３を折曲部４で一体に連接した可撓性の二つ折り可能なベースシート５を備える。光発電パネル６は各シート部２，３の内面域２ａ，３ａに取り付けられ、１つのパネル６から給電用のコード７が延びている。シート部２の外面域２ｄには締結バンド９の一端部９ａが旋回可能に取り付けられ、他端部９ｂは、着脱可能な連結手段１２で外面域３ｄに連結可能である。光発電器１が、平坦な状態に開かれたとき、閉じた状態を維持する締結バンド９の他端部９ｂを外して旋回し、各シート部２，３間を延ばして他端部９ｂを連結部材１２で外面域３ｄに連結して二つ折り状態へ戻るのを防止する。【選択図】図１
2005033159.tif 000002
【特許請求の範囲】
【請求項１】
矩形の第１，２シート部における横方向の一側部どうしを１つの折曲部で一体に連接して形成されかつ少なくとも前記折曲部が曲げ剛性を有する可撓性の二つ折り可能なベースシートと、前記ベースシートが二つ折りされたときに重ね合わされる前記第１，２シート部の内面域にそれぞれ取り付けられ、相互に電気的に接続された光発電パネルと、前記各光発電パネルのいずれかに電気的に接続され、前記各光発電パネルで発電された電力を取り出す出力手段と、前記第１，２シート部の内面域とは反対側における各外面域のいずれかに一端部が取り付けられた可撓性の締結バンドとを備え、
前記締結バンドの前記一端部が、前記各外面域の一方に、該外面域に対してほぼ直角な仮想の軸線を中心に旋回可能に取り付けられ、前記締結バンドの他端部が、該他端部と前記各外面域の他方とに取り付けられた着脱可能な雌雄一対の連結部材で連結可能とされ、
前記ベースシートが、前記折曲部で二つ折りされたとき、前記締結バンドが、前記第１，２シート部における前記折曲部に並行な横方向の他側部の外側をとおし、前記締結バンドの前記他端部を前記連結部材により前記他方の外面域に連結し、
前記ベースシートをほぼ平坦な状態に開いたとき、前記締結バンドを旋回させ、前記折曲部を横切って前記第１，２シート部間に延ばし、該締結バンドの前記他端部を前記連結部材により前記他方の外面域に連結して、前記ベースシートが二つ折りの状態へ戻るのを防止することを特徴とする携帯用の光発電器。
【請求項２】
前記第１，２シート部の前記横方向における長さがほぼ同じ寸法であり、前記締結バンドの前記一端部が、前記第１，２シート部の一方の前記横方向長さにおけるほぼ中間位置に取り付けられ、前記連結部材の一方が前記第１，２シート部の他方の前記横方向長さにおけるほぼ中間位置に取り付けられている請求項１に記載の携帯用の光発電器。
【請求項３】
矩形の第１シート部の横方向両側に矩形の第２，３シート部をそれぞれ並行な折曲部で一体に連接して形成されかつ少なくとも前記各折曲部が曲げ剛性を有する可撓性の三つ折り可能なベースシートと、前記ベースシートが、前記第２，３シート部を前記第１シート部の上に順次重ねるように前記各折曲部で三つ折りされたとき、前記第１シート部と前記第２，３シート部との向かい合う各内面域にそれぞれ取り付けられ、相互に電気的に接続された光発電パネルと、前記各光発電パネルのいずれかに電気的に接続され、前記各光発電パネルで発電された電力を取り出す出力手段と、前記第２，３シート部における前記各内面域とは反対側の各外面域のいずれかに一端部が取り付けられた可撓性の締結バンドとを備え、
前記締結バンドの前記一端部が、前記第１，２，３シート部のいずれか１つの前記シート部における前記外面域に、該外面域に対してほぼ直角な仮想の軸線を中心に旋回可能に取り付けられ、前記締結バンドの他端部が、該他端部と前記第１，２，３シート部のうち前記締結バンドの前記一端部が取り付けられている前記シート部を除く一方又は両方の前記シート部における前記外面域とに設けられた着脱可能な雌雄一対の連結部材で連結可能とされ、
前記ベースシートが、前記第２シート部を第１，３シート部の前記各内面域間に挟むように前記各折曲部で三つ折りされたときおよび前記ベースシートをほぼ平坦な状態に開いたとき、前記締結バンドの前記他端部を、該他端部に設けられている前記連結部材の一方と前記シート部の前記外面域に設けられている前記連結部材の他方とにより前記シート部の前記外面域に連結し、
前記ベースシートを三つ折りしたとき前記締結バンドによりその折り畳み状態を維持するとともに、前記ベースシートをほぼ平坦な状態に開いたとき、前記締結バンドにより前記第２，３シート部が折り畳み側へ戻るのを防止することを特徴とする携帯用の光発電器。
【請求項４】
前記第１，２シート部の前記横方向における長さがほぼ同じ寸法であり、前記第３シート部の前記横方向における長さが前記第１，２シート部の前記横方向長さ寸法より短く、前記締結バンドの前記一端部が、前記第１，３シート部間の前記折曲部近傍における前記第３シート部の前記外面域に旋回可能に取り付けられ、前記第１，２シート部間の前記折曲部近傍における前記第２シート部の前記外面域に前記連結部材の一方が取り付けられている請求項３に記載の携帯用の光発電器。
【請求項５】
前記第１，２，３シート部の前記横方向における長さがほぼ同じ寸法であり、前記締結バンドの前記一端部が、前記第１，３シート部間の前記折曲部近傍における前記第３シート部の前記外面域に旋回可能に取り付けられ、前記第１，２シート部における各前記外面域に前記連結部材の一方が取り付けられている請求項３に記載の携帯用の光発電器。
【請求項６】
前記ベースシートが、折り畳まれたときに重なり合う前記光発電パネルのいずれかの表面に傷付き防止用のパッドが取り付けられている請求項１〜５のいずれかに記載の携帯用の光発電器。
【請求項７】
前記ベースシートが、皮革および合成皮革のいずれかで形成されている請求項１〜６のいずれかに記載の携帯用の光発電器。
【発明の詳細な説明】
【技術分野】
【０００１】
本発明は、携帯用の光発電器に関し、更に詳細には、光発電パネルで発電された電気で、例えば携帯電話などの電子機器に内蔵されている充電可能な電池を充電したり、直接電子機器に電力を供給したりするのに適する携帯用の光発電器に関する。
【背景技術】
【０００２】
従来、例えば太陽光などのエネルギーを利用して携帯電話の充電可能な内蔵電池を充電する装置としては、端部に接続コネクタを取り付けた出力コードが一枚のソーラーパネルに電気的に接続され、このソーラーパネルで発電された電気を出力コードを介して携帯電話に供給する携帯電話用充電器が知られている（例えば、特許文献１参照。）。
【特許文献１】実用新案登録第３０７４０４５号公報
【発明の開示】
【発明が解決しようとする課題】
【０００３】
特許文献１に開示された携帯電話用充電器では、一つのケース（カバー）の表面側に１枚のソーラーパネルを嵌め込んで構成したものであるため、携帯電話を充電するには、かなり大きな面積の１枚のソーラーパネルを用いなければ必要な電圧を得ることはできない。しかし、携帯電話を充電するのに十分な面積を有する単体のソーラーパネルで構成された携帯電話用充電器を持ち運びすることは、実際には、とても煩わしい、という問題がある。
【０００４】
本発明の目的は、かかる従来の課題を解決するためになされたもので、例えば携帯電話などの電子機器を充電したり、電力を直接供給するのに十分な電圧を得ることが可能な受光面積を有する光発電パネルを有し、しかも小型で持ち運びに便利な携帯用の光発電器を提供することにある。
【課題を解決するための手段】
【０００５】
上記した課題解決のために、この発明は、以下のように構成されている。すなわち、本発明に係る携帯用の光発電器は、矩形の第１，２シート部における横方向の一側部どうしを１つの折曲部で一体に連接して形成されかつ少なくとも前記折曲部が曲げ剛性を有する可撓性の二つ折り可能なベースシートと、前記ベースシートが二つ折りされたときに重ね合わされる前記第１，２シート部の内面域にそれぞれ取り付けられ、相互に電気的に接続された光発電パネルと、前記各光発電パネルのいずれかに電気的に接続され、前記各光発電パネルで発電された電力を取り出す出力手段と、前記第１，２シート部の内面域とは反対側における各外面域のいずれかに一端部が取り付けられた可撓性の締結バンドとを備え、前記締結バンドの前記一端部が、前記各外面域の一方に、該外面域に対してほぼ直角な仮想の軸線を中心に旋回可能に取り付けられ、前記締結バンドの他端部が、該他端部と前記各外面域の他方とに取り付けられた着脱可能な雌雄一対の連結部材で連結可能とされ、前記ベースシートが、前記折曲部で二つ折りされたとき、前記締結バンドが、前記第１，２シート部における前記折曲部に並行な横方向の他側部の外側をとおし、前記締結バンドの前記他端部を前記連結部材により前記他方の外面域に連結し、前記ベースシートをほぼ平坦な状態に開いたとき、前記締結バンドを旋回させ、前記折曲部を横切って前記第１，２シート部間に延ばし、該締結バンドの前記他端部を前記連結部材により前記他方の外面域に連結して、前記ベースシートが二つ折りの状態へ戻るのを防止することを特徴とする。
【０００６】
本発明に係る携帯用の光発電器における好ましい一つの実施態様として、前記第１，２シート部の前記横方向における長さがほぼ同じ寸法であり、前記締結バンドの前記一端部が、前記第１，２シート部の一方の前記横方向長さにおけるほぼ中間位置に取り付けられ、前記連結部材の一方が前記第１，２シート部の他方の前記横方向長さにおけるほぼ中間位置に取り付けられている、ことである。
【０００７】
また、上記した課題解決のために、この発明は、以下のようにも構成することができる。すなわち、本発明に係る携帯用の光発電器は、矩形の第１シート部の横方向両側に矩形の第２，３シート部をそれぞれ並行な折曲部で一体に連接して形成されかつ少なくとも前記各折曲部が曲げ剛性を有する可撓性の三つ折り可能なベースシートと、前記ベースシートが、前記第２，３シート部を前記第１シート部の上に順次重ねるように前記各折曲部で三つ折りされたとき、前記第１シート部と前記第２，３シート部との向かい合う各内面域にそれぞれ取り付けられ、相互に電気的に接続された光発電パネルと、前記各光発電パネルのいずれかに電気的に接続され、前記各光発電パネルで発電された電力を取り出す出力手段と、前記第２，３シート部における前記各内面域とは反対側の各外面域のいずれかに一端部が取り付けられた可撓性の締結バンドとを備え、前記締結バンドの前記一端部が、前記第１，２，３シート部のいずれか１つの前記シート部における前記外面域に、該外面域に対してほぼ直角な仮想の軸線を中心に旋回可能に取り付けられ、前記締結バンドの他端部が、該他端部と前記第１，２，３シート部のうち前記締結バンドの前記一端部が取り付けられている前記シート部を除く一方又は両方の前記シート部における前記外面域とに設けられた着脱可能な雌雄一対の連結部材で連結可能とされ、前記ベースシートが、前記第２シート部を第１，３シート部の前記各内面域間に挟むように前記各折曲部で三つ折りされたときおよび前記ベースシートをほぼ平坦な状態に開いたとき、前記締結バンドの前記他端部を、該他端部に設けられている前記連結部材の一方と前記シート部の前記外面域に設けられている前記連結部材の他方とにより前記シート部の前記外面域に連結し、前記ベースシートを三つ折りしたとき前記締結バンドによりその折り畳み状態を維持するとともに、前記ベースシートをほぼ平坦な状態に開いたとき、前記締結バンドにより前記第２，３シート部が折り畳み側へ戻るのを防止すること、ことである。
【０００８】
前述したように三つ折り可能なベースシートを有する本発明に係る携帯用の光発電器における好ましい他の実施態様として、前記第１，２シート部の前記横方向における長さがほぼ同じ寸法であり、前記第３シート部の前記横方向における長さが前記第１，２シート部の前記横方向長さ寸法より短く、前記締結バンドの前記一端部が、前記第１，３シート部間の前記折曲部近傍における前記第３シート部の前記外面域に旋回可能に取り付けられ、前記第１，２シート部間の前記折曲部近傍における前記第２シート部の前記外面域に前記連結部材の一方が取り付けられている、ことである。
【０００９】
また、前述したように三つ折り可能なベースシートを有する本発明に係る携帯用の光発電器における好ましい更に他の実施態様として、前記第１，２，３シート部の前記横方向における長さがほぼ同じ寸法であり、前記締結バンドの前記一端部が、前記第１，３シート部間の前記折曲部近傍における前記第３シート部の前記外面域に旋回可能に取り付けられ、前記第１，２シート部における各前記外面域に前記連結部材の一方が取り付けられている、ことである。
【００１０】
また、前述したように三つ折り可能なベースシートを有する本発明に係る携帯用の光発電器における好ましい更に他の実施態様として、前記ベースシートが、折り畳まれたときに重なり合う前記光発電パネルのいずれかの表面に傷付き防止用のパッドが取り付けられている、ことである。さらにまた、前記ベースシートが、皮革および合成皮革のいずれかで形成されている、ことである。
【発明の効果】
【００１１】
本発明に係る携帯用の光発電器によれば、二つ折り又は三つ折り可能なベースシートの各シート部に光発電パネルをそれぞれ取り付けて、これらを電気的に接続し、光発電パネルから出力コードを出して例えば携帯電話などの電子機器に接続可能にしたことから、このような電子機器が内蔵するバッテリを充電するのに十分な電圧を得ることが可能であり、しかも簡単に折り畳むことができるため小型で持ち運びに非常に便利で、屋内や屋外にコンセントが無い場所へ出向いたときなどでも電子機器がその内蔵バッテリの電圧低下により使用不能になるようなことがない。
【発明を実施するための最良の形態】
【００１２】
以下、本発明に係る携帯用の光発電器（以下、光発電器と称する）について添付図面を参照して詳細に説明すると、以下のとおりである。図１〜図６は、本発明の第１実施形態に係る光発電器１を示し、図１は、二つ折りのベースシート５を拡開して光発電パネル６が受光している状態を示す斜視図、図２は、二つ折りされた光発電器１の斜視図、図３は、図２のＩＩＩ−ＩＩＩ線に沿って見た端面図、図４は、締結バンド９の一端部９ａの取り付け構造を示す断面図、図５は、図１の光発電器１を裏返し、折り畳まれる側とは反対側の外側を見た斜視図、図６は、拡開された光発電器１が折り畳み側へ戻ろうとしている状態を示す斜視図である。図１〜３において、Ｒは光発電器１の横方向を示し、図１においてＹは横方向に直交する縦方向を示す。
【００１３】
光発電器１は、矩形の第１，２シート部２，３からなる二つ折り可能な可撓性のベースシート５を有する。ベースシート５は、第１，２シート部２，３における横方向Ｒの一側部２ｂ，３ｂどうしを１つの折曲部４で一体に連接して形成されている。ベースシート５は、少なくともこの折曲部４が曲げ剛性を有する材料、例えば皮革又は合成皮革などから形成されている。ベースシート５が二つ折りされたときに重ね合わされる第１，２シート部２，３の内面域２ａ，３ａには、電気的に直列接続された光発電パネル６がそれぞれ取り付けられている。
【００１４】
ベースシート５は、二つ折りされたとき、例えば、名刺や各種カードを入れる皮革製ケースなどとほぼ同じ大きさとなるように横方向Ｒの寸法Ｌ１が約１４０ｍｍ、また縦方向Ｙの寸法Ｌ２が約１００〜１１０ｍｍとされた矩形状を呈している。第１シート部２の内面域２ａに取り付けられている光発電パネル６には、各光発電パネル６で発電された電力を取り出す出力手段としてコード７が電気的に接続されており、このコード７の先端部には、例えば携帯電話３０の充電用端子に装着可能なアダプタ３１に接続し得るソケット８が取り付けられている。
【００１５】
ベースシート５において、第１，２シート部２，３の各内面域２ａ，３ａとは反対側における各外面域２ｄ，３ｄのうち、外面域２ｄには締結バンド９の一端部９ａが取り付けられている。締結バンド９の一端部９ａは、外面域２ｄに対してほぼ直角な仮想の軸線１０（図３，４参照）を中心に旋回可能に取り付けられている。締結バンド９の一端部９ａを外面域２ｄに旋回可能に取り付ける構造としては、種々の公知の方法を採用することができる。その一例をあげると以下のとおりである。
【００１６】
すなわち、図４に示すように、中空な軸部１１ａの一端に該軸部１１ａより大きな直径の頭部１１ｂを有する留め金具１１を用いる。締結バンド９の一端部９ａには、留め金具１１の軸部１１ａの直径より大きくかつ頭部１１ｂの直径より小さな挿通孔９ｃが形成され、ベースシート５の所定位置には軸部１１ａとほぼ同じ直径の穴が形成されている。ベースシート５の第１，２シート部２，３の各内面域２ａ，３ａに光発電パネル６を取り付ける前に、留め金具１１の軸部１１ａを頭部１１ｂとは反対側の自由端から締結バンド９の挿通孔９ｃに挿入し、さらにベースシート５に形成した穴に通し、予め軸方向へ割られている軸部１１ａの自由端をベースシート５の内側で拡げ、抜け止め部１１ｃを形成する。そのとき、抜け止め部１１ｃから頭部１１ｂまでの軸部１１ａの長さが、締結バンド９とベースシート５との合計厚みより若干大きくなるようにする。
【００１７】
締結バンド９の他端部９ｂは、該他端部９ｂと第２シート部３の外面域３ｄとに取り付けられた雄雌一対の連結部材１２ａ，１２ｂからなる着脱可能な連結手段１２で連結可能とされている。連結部材１２ａ，１２ｂは、例えば公知のジャンパーホックで構成することができるが、それ以外に種々の公知の連結部材、例えば接着布などを用いることができる。締結バンド９の各端部９ａ，９ｂは、図２，３から明らかなように第１，２シート部２，３のそれぞれ横方向の寸法のほぼ２等分位置に取り付けられる。すなわち、第１，２シート部２，３のそれぞれ横方向寸法を２ｎとすると、第１シート部２の側部２ｂ，２ｃから該側部に直交する横方向における寸法ｎの外面域２ｄ上の位置に留め金具１１を用いて締結バンド９の一端部９ａが旋回可能に取り付けられ、また第２シート部３の側部３ｂ，３ｃから該側部に直交する横方向における寸法ｎの外面域３ｄ上の位置に雌型の連結部材１２ｂが取り付けられる。雄型の連結部材１２ａは、締結バンド９の他端部９ｂに取り付けられている。
【００１８】
光発電器１がこのように構成されているので、光発電器１を二つ折りの状態に閉じたとき、締結バンド９によりその状態を維持することができる。すなわち、光発電器１が、図２，３に示すように折曲部４で二つ折りされたとき、締結バンド９を第１，２シート部２，３における折曲部４に並行に縦方向へ延びる横方向の他側部２ｃ，３ｃから横方向外側へ延出させ、他側部２ｃ，３ｃを抱き込むように１８０度屈曲させて、締結バンド９の他端部９ｂを第２シート部３の外面域３ｄ上に配置する。次いで、締結バンド９の他端部９ｂが、連結手段１２により第２シート部３の外面域３ｄに連結される。その結果、二つ折りされた光発電器１は、締結バンド９によりこれを閉じた状態に維持され、不用意な開放が防止される。
【００１９】
二つ折りされている光発電器１を拡開して例えば太陽光を受光して発電し、携帯電話などを充電したり、又は発電力を直接供給する場合には、締結バンド９における他端部９ｂを第２シート部３の外面域３ｄから引き上げて、連結手段１２の連結を解除する。次いで、二つ折りされた光発電器１における第１，２シート部２，３を、折曲部４を中心にしてほぼ平坦な状態に開き、光発電パネル６を太陽等からの光が入射する方向へ向けて受光する。しかし、ベースシート５が皮革や合成皮革などから形成されていると、折曲部４の曲げ剛性が比較的に大きいため、図６に矢印１３で示すようにベースシート５が平坦な状態を維持できず、折曲部４が曲がり始めて二つ折りの状態に戻ろうとする。このようになると、両光発電パネル６の少なくとも一方が太陽光入射方向へ指向しなくなるか、または光発電器１が二つ折りの状態に閉じてしまい、光発電を行うことができず、十分な電力の供給ができないことがある。
【００２０】
そこで、第１シート部２の外面域２ｄから他側部２ｃを越えて外側に延びていた締結バンド９を、その一端部９ａを通る軸線１０を中心に旋回し、図５に示すように締結バンド９の他端部９ｂを、折曲部４を横断して第２シート部３の外面域３ｄ上に移動し、連結手段１２により該外面域３ｄに連結する。その結果、光発電器１の第１，２シート部２，３が、その外面側において締結バンド９で連結されるので、ベースシート５が二つ折りの状態に戻ろうとするのを締結バンド９により阻止して平坦な状態に保ち、光発電パネル６への太陽光の受光状態を長時間に亘って維持することができる。
【００２１】
なお、光発電器１を持ち運びのために二つ折りすると、第１，２シート部２，３の各内面域２ａ，３ａに取り付けられている光発電パネル６の表面どうしが当接することになり、それが原因で表面に傷が付き受光性能が低下するおそれがあるので、図１に示すように両光発電パネル６のいずれかの表面四隅に、厚みの薄い小さな保護用シート、即ちパッド１４を貼り付けておくことが好ましい。パッド１４は、例えばゴム、布、厚紙など種々のもので形成することができる。
【００２２】
図７は、第２実施形態である三つ折り可能な光発電器２０Ａを、各光発電パネル６で太陽光を受光可能なように拡開した状態を示す斜視図、図８は光発電器２０Ａを三つ折りして閉じた状態を示す斜視図、図９は、図７の光発電器２０Ａを裏返し、折り畳まれる側とは反対側の外側を見た斜視図、図１０は、拡開された光発電器２０Ａが折り畳み側へ戻ろうとしている状態を示す斜視図である。図７〜９においても、Ｒは光発電器２０Ａの横方向を示し、Ｙは横方向に直交する縦方向を示す。
【００２３】
光発電器２０Ａは、矩形の第１，２，３シート部２１，２２，２３からなる三つ折り可能な可撓性のベースシート２４を有する。ベースシート２４は、第１シート部２１の横方向両側部２１ｂ，２１ｃにそれぞれ第２，３シート部２２，２３の各側部２２ｂ，２３ｂを２つの並行な折曲部２５，２６で一体に連接して形成されている。ベースシート２４は、少なくともこれら折曲部２５，２６が曲げ剛性を有する材料、例えば皮革又は合成皮革などから形成されている。ベースシート２４が、第１シート部２１の上に第２，３シート部２２，２３を順次重ねるように各折曲部２５，２６で三つ折りされたとき、第１シート部２１と第２，３シート部２２，２３とが向かい合う各内面域２１ａ，２２ａ，２３ａには、電気的に直列接続された光発電パネル６がそれぞれ取り付けられている。
【００２４】
ベースシート２４は、三つ折りされたとき、図１に示す第１実施形態と同じように名刺や各種カードを入れる皮革製ケースなどとほぼ同じ大きさとなるように横方向Ｒの寸法Ｌ１が約１９５〜２０５ｍｍ、また縦方向Ｙの寸法Ｌ２が約１００〜１１０ｍｍとされた矩形状を呈している。第１シート部２１と第２シート部２２とはほぼ同じ大きさであるが、第３シート部２３は、図８から明らかなように第１，２シート部２１，２２より若干小さい幅寸法で形成されている。
【００２５】
第１シート部２１の内面域２１ａに取り付けられている光発電パネル６には、各光発電パネル６で発電された電力を取り出す出力手段としてコード７が電気的に接続されている。このコード７の先端部には、第１実施形態と同じように携帯電話３０の充電用端子に装着可能なアダプタ３１に接続し得るソケット８が取り付けられている。
【００２６】
ベースシート２４において、第１，２，３シート部２１，２２，２３の各内面域２１ａ，２２ａ，２３ａとは反対側における各外面域２１ｄ，２２ｄ，２３ｄのうち、外面域２３ｄにおいて第１，３シート部２１，２３が連接している折曲部２６の近傍には締結バンド９の一端部９ａが取り付けられている。締結バンド９の一端部９ａは、外面域２３ｄに対してほぼ直角な仮想の軸線１０（図８，９参照）を中心に旋回可能に取り付けられている。締結バンド９の一端部９ａの外面域２３ｄへの取り付けは、第１実施形態の光発電器１において説明した図４に示す構造と同じであるので、その説明を省略し、同一の構成部分を同一の参照符号で示す。
【００２７】
他方、締結バンド９の他端部９ｂと第２シート部２２の外面域２２ｄとには、例えば公知のジャンパーホックのような雄雌一対の連結部材１２ａ，１２ｂからなる着脱可能な連結手段１２が設けられており、締結バンド９の他端部９ｂは、第２シート部２２の外面域２２ｄに着脱自在に連結可能とされている。第２シート部２２の外面域２２ｄに設けられている雌型の連結部材１２ｂは、図８，９に示すように第１，２シート部２１，２２が連接している折曲部２５の近傍である。第２シート部２２の外面域２２ｄにおける折曲部２５の近傍は、図８から明らかなように第２シート部２２を最初に第１シー部２１の内面域２１ａに重ねるように折曲部２５で折り曲げ、次いで第３シート部２３をその内面域２３ａが第２シート部２２の外面域２２ｄ上に重なるように折曲部２６で折り曲げてベースシート２４を三つ折りするとき、第３シート部２３が重ならずに露出する部位２２ｅとなる。これは、前述したように第３シート部２３の幅寸法が第１，２シート部２１，２２に比較して小さくされていることによる。したがって、第３シート部２３の幅寸法を適宜選択することにより第２シート部２２の外面域２２ｄにおける露出部位２２ｅの幅寸法を決めることができる。
【００２８】
光発電器２０Ａがこのように構成されているので、締結バンド９は、第１，２，３シート部２１，２２，２３が順次重ね合わさる光発電器２０Ａの三つ折り状態を維持することができる。すなわち、光発電器２０Ａが、図８に示すように折曲部２５，２６で三つ折りされたとき、第２シート部２２の外面域２２ｄに重なっている第３シート部２３において、折曲部２６に並行に縦方向へ延びる横方向の他側部２３ｃを越えて締結バンド９を第２シート部２２における外面域２２ｄの露出部位２２ｅへ延ばし、その他端部９ｂを露出部位２２ｅ上に配置する。次いで、締結バンド９の他端部９ｂが、連結手段１２により第２シート部２２の外面域２２ｄにおける露出部位２２ｅに連結される。その結果、三つ折りされた光発電器２０Ａは、締結バンド９によりこれを閉じた状態に維持され、不用意な開放が防止される。
【００２９】
三つ折りされている光発電器２０Ａを開いて例えば携帯電話３０などを充電したり、又は光発電力を直接供給する場合には、締結バンド９の他端部９ｂを第２シート部２２の外面域２２ｄにおける露出部位２２ｅから引き上げて、連結手段１２の連結を解除する。次いで、三つ折りされた光発電器２０Ａにおける第２，３シート部２２，２３を、各折曲部２５，２６を中心にしてほぼ平坦な状態に開き、光発電パネル６を太陽等からの光が入射する方向へ向けて受光する。しかし、ベースシート２４が皮革や合成皮革などから形成されていると、折曲部２５，２６の曲げ剛性が比較的に大きいため、図１０に矢印１３で示すようにベースシート２４が平坦な状態を維持できず、折曲部２５，２６が曲がり始めて三つ折りの状態に戻ろうとする。このようになると、第１，３シート部２２，２３の内面域２２ａ，２３ａの２枚の光発電パネル６が太陽光入射方向へ指向しなくなるとともに、第１シート部２１の内面域２１ａも第１，３シート部２２，２３によって覆われ、太陽光線が遮られるため、光発電を行うことができず、十分な電力の供給ができないことがある。
【００３０】
そこで、第３シート部２３の外面域２３ｄから他側部２３ｃを越えて外側に延びていた締結バンド９を、その一端部９ａを通る仮想軸線１０を中心に旋回し、図９に示すように他端部９ｂを、折曲部２６，第１シート部２１の外面域２１ｄ及び折曲部２５を横断して第２シート部２２の外面域２２ｄ上に移動し、他端部９ｂに設けられている雄型の連結部材１２ａと外面域２２ｄに存在している雌型の連結部材１２ｂとを相互に嵌着して連結する。その結果、光発電器２０Ａは、その外面側で第２，３シート部２２，２３が締結バンド９で連結されることから、ベースシート２４が三つ折りの状態に戻るのを締結バンド９により阻止されて平坦な状態に保たれ、各光発電パネル６への太陽光線の受光状態を長時間に亘って維持することができる。ただし、第１，２シート部２１，２２と第３シート部２３との幅寸法の選択によっては、光発電器２０Ａを拡開したときの留め金具１１と第３シート部２３の外面域に存在する連結部材１２の一方との距離Ｋ１が、図８に示す三つ折りされた状態での留め金具１１と第３シート部２３の外面域に存在する連結部材１２の一方との距離Ｋ２より長くなる場合がある。そのようなときには、第２，３シート部２２，２３を外面域側に多少反り返らせて距離Ｋ１を短くするか、或いは光発電器２０Ａの三つ折り状態を維持する際に多少弛む長さの締結バンド９を使用するかして、締結バンド９における他端部９ｂの連結部材１２ａを第２シートの部２２における外面域２２ｄの連結部材１２ｂに相互嵌着すればよい。
【００３１】
なお、光発電器２０Ａの場合でもこれを持ち運びのために三つ折りすると、第１，２シート部２１，２２の各内面域２１ａ，２２ａに取り付けられている光発電パネル６の表面どうしが当接することになり、それが原因で表面に傷が付き受光性能が低下するおそれがあるので、図７に示すように各内面域２１ａ，２２ａに取り付けられている光発電パネル６のいずれかの表面四隅に、厚みの薄い小さな保護用シート、即ちパッド１４を貼り付けておくことが好ましい。パッド１４は、例えばゴム、布、厚紙など種々のもので形成することができる。
【００３２】
第２実施形態に係る光発電器２０Ａでは、締結バンド９の一端部９ａが、第３シート部２３の外面域２３ｄにおける折曲部２６の近傍に取り付けられ、他端部９ｂが、第２シート部２２の外面域２２ｄにおける折曲部２５の近傍の露出部位２２ｅに着脱可能な連結手段１２で連結可能とされていた。しかし、この発明では、旋回可能に取り付けられる締結バンド９の一端部９ａと他端部９ｂとの取り付け位置を、図１１に示す第３実施形態のように逆にしてもよい。すなわち、第３実施形態に係る光発電器２０Ｂでは、締結バンド９の一端部９ａが、第２シート部２２の外面域２２ｄにおける折曲部２５の近傍の露出部位２２ｅに旋回可能に取り付けられ、他端部９ｂが、第３シート部２３の外面域２３ｄにおける折曲部２６の近傍に既述した着脱自在な連結手段１２により連結可能とされている。
【００３３】
さらに、本発明では、締結バンド９の取り付け方として、図１２，１３に示す第４実施形態に係る光発電器２０Ｃのように、一端部９ａを、第２シート部２２の外面域２２ｄにおける折曲部２５の近傍に旋回可能に取り付け、他端部９ｂを、図１１に示す第３実施形態の場合と同じように第３シート部２３の外面域２３ｄにおける折曲部２６の近傍に既述した着脱自在な連結手段１２により連結可能としてもよい。この場合、光発電器２０Ｃが、図１２に示すように各折曲部２５，２６で三つ折りされたとき、締結バンド９を折曲部２５側から横方向外側へ延出させ、第３シート部２３の側部２３ｃを抱き込むように１８０度屈曲させて、締結バンド９の他端部９ｂを第３シート部２３の外面域２３ｄ上に配置する。次いで、締結バンド９の他端部９ｂが、連結手段１２により第３シート部２３の外面域２３ｄに連結される。その結果、三つ折りされた光発電器２０Ｃは、締結バンド９によりこれを閉じた状態に維持され、不用意な開放が防止される。
【００３４】
他方、三つ折りされている光発電器２０Ｃを拡開して例えば太陽光を受光して発電し、携帯電話などを充電したり、又は発電力を直接供給する場合には、締結バンド９における他端部９ｂを第３シート部２３の外面域２３ｄから引き上げて、連結手段１２の連結を解除し、三つ折りされた光発電器２０Ｃにおける第２，３シート部２２，２３を、折曲部２５，２６を中心にしてほぼ平坦な状態に開く。次いで、構成を容易に理解し得るように出力手段などの構成を省略して、必須の構成要素のみを示している図１３から明らかなように締結バンド９の一端部９ａを留め金具１１を中心に旋回した後に１８０度折曲し、締結バンド９の他端部９ｂを、折曲部２５、第１シート部２１、および折曲部２６を横断して第３シート部２３の外面域２３ｄ上に移動し、連結手段１２により該外面域２３ｄに連結する。その結果、光発電器１における第１シート部２１の両側で該第１シート部２１に連接している第２，３シート部２２，２３が、その外面側において締結バンド９で連結されるので、ベースシート２４が三つ折りの状態に戻ろうとするのを締結バンド９により阻止されて平坦な状態に保たれ、光発電パネル６への太陽光の受光状態を長時間に亘って維持する。
【００３５】
締結バンド９が、図１２，１３に示すような構成で取り付けられていると、光発電器２０Ｃが三つ折りされたとき、第３シート部２３が締結バンド９の一端部９ａを覆うようにして折り畳めるので、第３シート部２３の幅寸法を第１，２シート部２１，２２とほぼ同じにでき、その結果第３シート部２３の内面域２３ａに既述の実施形態のものに比較して大きな光発電パネル６を取り付けることができ、発電力を増加させることができる。
【００３６】
既述の各実施形態に係る光発電器１，２０Ａ，２０Ｂ，２０Ｃでは、各光発電パネル６で発電された電力を取り出す出力手段として、光発電パネル６から直接延びるコード７の端部に取り付けられたソケット８とアダプタ３１と接続し、これを例えば携帯電話３０の充電用端子に装着して充電するようにしたが、本発明において電力取り出し用の出力手段としては、この構成に限定されるものではない。例えば、図１４に示す第５実施形態に係る光発電器２０Ｄのようにベースシート２４の折曲部２５，２６のいずれか内面側に、光発電パネル６に電気的に接続されたソケット２７を取り付けておき、他方、コード７の一端には差し込みプラグ２８を取り付けて、コード７を光発電器２０Ｄと着脱可能とするようにしておくことも好ましい。この第５実施形態のような構成によれば、光発電器２０Ｄの携帯がより容易になる。また、このような出力手段の構成は、図１，図７，図１１，図１２にそれぞれ示す第１ないし第４実施形態に係る光発電器１，２０Ａ〜２０Ｃについても適用することができる。
【００３７】
更に、図１５〜図１７には、本発明に係る第６実施形態の三つ折り可能な光発電器２０Ｅが示されている。この実施形態に係る光発電器２０Ｅでは、締結バンド９の一端部９ａが、第１実施形態の光発電器１と同様な構成によって第３シート部２３の外面域２３ｄにおける折曲部２６の近傍に旋回可能に取り付けられ、他端部９ｂには、既述したジャンパーホックのような雄雌一対の連結部材１２ａ，１２ｂからなる着脱可能な連結手段１２の雌型の連結部材１２ｂが設けられている。この光発電器２０Ｅでは、第１シート部２１の外面域２１ｄにおけるほぼ中央部と第２シート部２２の外面域２２ｄにおける折曲部２５の近くとのそれぞれに連結手段１２における雄型の連結部材１２ａが取り付けられている。すなわち、この光発電器２０Ｅでは、締結バンド９の他端部９ｂを第１シート部２１の外面域２１ｄと第２シート部２２の外面域２２ｄとの２ヶ所で選択的に着脱可能に連結することができるように構成されている。
【００３８】
この光発電器２０Ｅでは、図１５に示すように第２シート部２２を第１，３シート部２１，２３の各内面域間に挟むように三つ折りにしたとき、締結バンド９を第１，２シート部２１，２２間の折曲部２５を越えてそれより横方向外側へ延出させ、折曲部２５を抱き込むように１８０度屈曲させて、締結バンド９の他端部９ｂを第１シート部２１の外面域２１ｄ上に配置する。次いで、締結バンド９の他端部９ｂを、連結手段１２により第１シート部２１の外面域２１ｄに連結する。その結果、三つ折りされた光発電器２０Ｅは、締結バンド９によりこれを閉じた状態に維持され、不用意な開放が防止される。
【００３９】
三つ折りされている光発電器２０Ｅを拡開して太陽光を受光して発電し、携帯電話などを充電したり、又は発電力を直接供給する場合には、締結バンド９における他端部９ｂを第１シート部２１の外面域２１ｄから引き上げて、連結手段１２の連結を解除し、三つ折りされた光発電器２０Ｅにおける第２，３シート部２２，２３を、折曲部２５，２６を中心にしてほぼ平坦な状態に開く。次いで、図１６に示すように締結バンド９の一端部９ａを留め金具１１を中心に第２シート部２２の外面域２２ｄ方向へ旋回した後、締結バンド９の他端部９ｂを、２つの折曲部２５，２６を横断して第２シート部２２の外面域２２ｄ上に移動し、連結手段１２により該外面域２２ｄに連結する。その結果、光発電器２０Ｅにおける第１シート部２１の両側に位置する第２，３シート部２２，２３が、その外面側において締結バンド９で連結されるので、光発電器２０Ｅが三つ折りの状態に戻ろうとするのを締結バンド９により阻止して平坦な状態に保ち、光発電パネル６への太陽光の受光状態を長時間に亘って維持できる。
【００４０】
このように、光発電器２０Ｅの第１，２シート部２１、２２の各外面域２１ｄ，２２ｄに２つの雄型の連結部材１２ａを設け、光発電器２０Ｅを携帯のために三つ折りにしたとき、および太陽光などを受光する際にほぼ平坦に拡開したときにこれら異なる連結部材１２ａを選択的に用いて締結バンド９の他端部９ｂを第１，２シート部２１、２２の各外面域２１ｄ，２２ｄに着脱自在に連結し得るようにしたことから、折り畳み時に第１シート部２１に重なる第３シート部２３の幅寸法を第１，２シート部２１，２２とほぼ同じにでき、その結果第３シート部２３の内面域２３ａに第２，第３，第５実施形態の光発電器２０Ａ，２０Ｂ，２０Ｄものに比較して大きな光発電パネル６を取り付けることができ、発電力を増加させることができる。
【００４１】
前述した各実施形態の光発電器１，２０Ａ〜２０Ｅでは、締結バンド９の一端部９ａが、所定のシート部の外面域に留め金具１１により旋回可能に取り付けられていた。しかし、この発明では、締結バンド９の一端部９ａをシート部の外面域に留め金具１１により着脱不能に取り付けることに限定するものではない。締結バンド９の一端部９ａに、他端部９ｂと同様に公知のジャンパーホックのような雄雌一対の連結部材１２ａ，１２ｂからなる着脱可能な連結手段１２における一方の連結部材を設け、該一端部９ａを取り付けるシート部の外面域に他方の連結部材を設け、締結バンド９の一端部９ａも着脱自在にしておいてもよい。また、締結バンド９の一端部９ａおよび／又は他端部９ｂと所定のシート部の外面域とを連結する連結手段１２では、雄雌一対の連結部材１２，１２ｂの一方が締結バンド９の一端部９ａおよび／又は他端部９ｂに、他方がシート部の外面域に設けられていればよい。
【００４２】
さらに、前述した各実施形態の光発電器１，２０Ａ〜２０Ｅにおいて、ベースシート５、２４は、皮革又は合成皮革で形成されていたが、この発明においてベースシートの材料は、皮革又は合成皮革に限定されるものではなく、例えば、比較的に剛性のある可撓性の芯材を布で覆ったシートや合成樹脂製シートなど、所謂「ケース」として好適な可撓性材料であれば、如何なるものからでも形成することができる。
【図面の簡単な説明】
【００４３】
【図１】第１実施形態に係る光発電器を拡開して示す斜視図。
【図２】光発電器を二つ折りした状態で示す斜視図。
【図３】図２のＩＩＩ−ＩＩＩ線に沿って得た光発電器の概略的な断面図。
【図４】締結バンドの一端部における取り付け構造を示す部分的な断面図。
【図５】光発電器を拡開して外面域側を示す斜視図。
【図６】拡開した光発電器が二つ折りの状態へ戻る状態を示す斜視図。
【図７】第２実施形態に係る光発電器を拡開して示す斜視図。
【図８】図７の光発電器を三つ折りした状態で示す斜視図。
【図９】図７の光発電器を拡開して外面域側を示す斜視図。
【図１０】拡開した光発電器が三つ折り状態へ戻る状態を示す斜視図。
【図１１】第３実施形態に係る光発電器を示す斜視図。
【図１２】第４実施形態に係る光発電器を示す概略的な断面図。
【図１３】図１２に示す光発電器を拡開した状態の側面図。
【図１４】第５実施形態に係る光発電器を示す斜視図。
【図１５】第６実施形態に係る光発電器を示す斜視図。
【図１６】図１５の光発電器を拡開して外面域側を示す斜視図。
【図１７】図１６に示す拡開した光発電器の側面図。
【符号の説明】
【００４４】
１，２０Ａ〜２０Ｅ    光発電器
２，２１    第１シート部
２ａ，２１ａ    内面域
３，２２    第２シート部
３ａ，２２ａ    内面域
２３    第３シート部
２３ａ    内面域
４，２５，２６    折曲部
５，２４    ベースシート
６    光発電パネル
７    コード（出力手段）
８    ソケット
９    締結バンド
９ａ    締結バンドの一端部
９ｂ    締結バンドの他端部
１０    仮想軸線
１１    留め金具
１２    連結手段
１２ａ    雄型の連結部材
１２ｂ    雌型の連結部材
１４    パッド
２７    ソケット（出力手段）
２８    差し込みプラグ（出力手段）
【図１】
2005033159.tif 000003
【図２】
2005033159.tif 000004
【図３】
2005033159.tif 000005
【図４】
2005033159.tif 000006
【図５】
2005033159.tif 000007
【図６】
2005033159.tif 000008
【図７】
2005033159.tif 000009
【図８】
2005033159.tif 000010
【図９】
2005033159.tif 000011
【図１０】
2005033159.tif 000012
【図１１】
2005033159.tif 000013
【図１２】
2005033159.tif 000014
【図１３】
2005033159.tif 000015
【図１４】
2005033159.tif 000016
【図１５】
2005033159.tif 000017
【図１６】
2005033159.tif 000018
【図１７】
2005033159.tif 000019